(57)【要約】【課題】吊下げ式のスクリーン装置において、スクリーンを巻戻す際のスクリーンの引掛りを防止する。【解決手段】スクリーンのクラッチ機構を、円周方向にガイド溝を有し、固定軸に嵌挿されたドラムからなる従動部と、そのガイド溝と係合する摺動ボールを有し、その摺動ボール及びスプリングロールと一体に回動する枠体からなる原動部とで構成する。ガイド溝を、円周方向に連続する１本の周回溝と、その周回溝と連絡する副路を形成し、摺動ボールを係止する１本以上の係止溝とで構成する。さらに、係止溝に、スクリーンを巻取り位置に保持する第１の係止部と、スクリーンを展張状態に保持する第２の係止部と、摺動ボールの周回溝への復帰を防止する第３の係止部とを設ける。【選択図】図３
2004347766.tif 000002
【特許請求の範囲】
【請求項１】
固定軸により回動可能に支持されたスプリングロールと、該スプリングロールに一端が固着されるとともにスプリングロールに巻回されたスクリーンと、上記スクリーンの巻出しを許す一方、上記スプリングロールの巻戻し方向への付勢力に抗して巻出したスクリーンの巻戻しを阻止するクラッチ機構とを有する吊下げ式のスクリーン装置であって、
上記クラッチ機構を、円周方向にガイド溝を有し、上記固定軸に嵌挿されたドラムからなる従動部と、該ガイド溝と係合する摺動ボールを有し、該摺動ボール及び上記スプリングロールと一体に回動する枠体からなる原動部とで構成する一方、
上記ガイド溝を、円周方向に連続し、スクリーンの巻戻し及び巻出し時には上記摺動ボールが移動する１本の周回溝と、該周回溝と連絡する副路を形成し、上記摺動ボールを係止する１本以上の係止溝とで構成し、さらに、
該係止溝に、スクリーンの巻出し方向への摺動ボールの移動を停止させスクリーンを巻取り位置に保持する第１の係止部と、スクリーンの巻戻し方向への摺動ボールの移動を停止させスクリーンを展張状態に保持する第２の係止部と、スクリーンの巻戻し時に第２の係止部から移動した摺動ボールの巻出し方向への移動を停止させ摺動ボールの周回溝への復帰を防止する第３の係止部とを設けてなるスクリーン装置。
【請求項２】
上記係止溝は、周回溝からの分岐溝と周回溝への合流溝とを有しており、第１の係止部、第２の係止部、そして第３の係止部を形成する３つの凹部が、合流方向に向かって、この順で合流溝の側壁に交互に形成されている請求項１記載のスクリーン装置。
【請求項３】
上記クラッチ機構が複数の摺動ボールと複数の係止溝とを有し、枠体の回動に同期して各係止溝を移動するように各摺動ボールを配置してなる請求項１又は２に記載のスクリーン装置。
【発明の詳細な説明】
【０００１】
【発明の属する技術分野】
本発明は、プロジェクションＴＶあるいはプロジェクタによる表示像を拡大投影するスクリーン装置に関し、より詳しくは天井あるいは壁面等に取付けて使用する吊下げ式のスクリーン装置に関する。
【０００２】
【従来の技術】
プロジェクションＴＶを含むプロジェクタからの画像は、反射型スクリーンあるいは透過型スクリーンに拡大投影されて表示される。そして、天井あるいは壁面に取り付けて使用される吊下げ式のスクリーン装置は、一般に収納ケースに収容されたスクリーンを、必要に応じ、電動あるいは手動により引き下げて使用している。
【０００３】
吊下げ式のクリーン装置では、スクリーンを巻出して任意の位置で固定するために、例えば、ロールブラインド等に使用されているカム機構が使用されている（例えば、特許文献１参照。）。従来のカム機構は、スクリーンが巻かれたロールパイプと一体に回転するカム原動部と、固定軸に回転並びに軸方向摺動可能に取付けられたカム従動部とから構成されている。ここで、ロールパイプには巻取スプリングが内蔵されており、スクリーンを巻戻す方向に付勢力を付与している。カム原動部とカム従動部は、カム突起とカム溝を介して係合する。巻戻したスクリーンをロールパイプの付勢力に抗して巻出し、ついで、一度停止して再び巻出すと、カム従動部が回転規制手段を作動させてロールパイプのスクリーン引出し方向への回転を規制するようにしている。これにより、スクリーンを所望の位置で固定することができる。そして、スクリーンを固定位置から少し巻出した後、手を離すと、ロールパイプの付勢力により、スクリーンは巻戻される。
ここで、カム溝はカム突起がそれぞれ巻戻し時と巻出し時に移動する２本の周溝と、その２本の周溝を連絡する軸方向溝とで構成され、さらに軸方向溝にはカム突起を係止する２つの係止位置が形成されている。一方の係止位置は、スクリーンの自由な巻出しを許す一方、他方の係止位置は、カム従動部の起動を抑制して所望位置でスクリーンを固定する。巻戻すため、スクリーンを巻出すと、上記の他方の位置から解放されたカム突起が巻戻し用の周溝に移動するため、スクリーンを巻戻すことができる。
【０００４】
【特許文献１】
特許第２７５０５３７号公報
【０００５】
【発明が解決しようとする課題】
しかしながら、従来のスクリーン装置では、スクリーンを巻戻す際に、スクリーンを巻出し過ぎると、いわゆる引掛りが生じてスクリーンが途中で止まってしまうという問題があった。そのため、スクリーンを巻戻すために、何度もスクリーンを巻出す必要があり、また、引掛りが生じないよう、巻出し過ぎないように慎重に巻出す必要があり、スクリーンの巻戻しに時間と手間がかかるという問題があった。
【０００６】
【課題を解決するための手段】
上記課題を解決するため、本発明のスクリーン装置は、固定軸により回動可能に支持されたスプリングロールと、該スプリングロールに一端が固着されるとともにスプリングロールに巻回されたスクリーンと、上記スクリーンの巻出しを許す一方、上記スプリングロールの巻戻し方向への付勢力に抗して巻出したスクリーンの巻戻しを阻止するクラッチ機構とを有する吊下げ式のスクリーン装置であって、上記クラッチ機構を、円周方向にガイド溝を有し、上記固定軸に嵌挿されたドラムからなる従動部と、該ガイド溝と係合する摺動ボールを有し、該摺動ボール及び上記スプリングロールと一体に回動する枠体からなる原動部とで構成する一方、上記ガイド溝を、円周方向に連続し、スクリーンの巻戻し及び巻出し時には上記摺動ボールが移動する１本の周回溝と、該周回溝と連絡する副路を形成し、上記摺動ボールを係止する１本以上の係止溝とで構成し、さらに、該係止溝に、スクリーンの巻出し方向への摺動ボールの移動を停止させスクリーンを巻取り位置に保持する第１の係止部と、スクリーンの巻戻し方向への摺動ボールの移動を停止させスクリーンを展張状態に保持する第２の係止部と、スクリーンの巻戻し時に第２の係止部から移動した摺動ボールの巻出し方向への移動を停止させ摺動ボールの周回溝への復帰を防止する第３の係止部とを設けてなることを特徴とする。
本発明のスクリーン装置は、係止溝に、スクリーンの巻戻し時に第２の係止部から移動した摺動ボールの巻出し方向への移動を停止させ摺動ボールの周回溝への復帰を防止する第３の係止部を設けたので、スクリーンを巻戻す際、スクリーンを巻出している間、摺動ボールは第３の係止部に係止され、周回溝に移動することがない。摺動ボールの周回溝への移動が防止される結果、周回溝を経て第１の係止部に摺動ボールが係止されることがないため、巻戻し時の引掛りを防止することができる。これにより、巻戻す際に、速やかに巻取り位置までスクリーンを巻戻すことができる。また、周回溝を１本とすることにより、従来の２本の周回溝を用いる場合に比べて、ガイド溝の構造を簡略化して、摺動ボールの移動時の抵抗を減らし、スクリーンの巻戻しあるいは巻出しの際の操作をより軽快にすることができる。
【０００７】
また、上記係止溝を、周回溝からの分岐溝と周回溝への合流溝とで構成し、第１の係止部、第２の係止部、そして第３の係止部を形成する３つの凹部を、合流方向に向かって、この順で合流溝の側壁に交互に形成することが好ましい。
【０００８】
また、上記クラッチ機構が複数の摺動ボールと複数の係止溝とを有し、枠体の回動に同期して各係止溝を移動するように各摺動ボールを配置することが好ましい。
【０００９】
【発明の実施の形態】
以下、本発明の実施の形態について図面を参照して説明する。
図１は、本実施の形態に係るスクリーン装置１の構造の一例を示す斜視図であり、スクリーンを巻出した状態を示している。スクリーン装置１は、天井等に固定され、収納ケースを兼ねる取付板２を有しており、その中には、両端をブラケット（不図示）により回転自在に吊下げ支持されたスプリングロール（不図示）が収納されている。なお、ブラケットは収納ケース２の両端に取付けられたブラケット用キャップ５により保護されている。スクリーン８は、その一端がスプリングロールに固着されてスプリングロールに巻回されており、他端はアンダーバー９に固着されている。スクリーン８は、使用時には把手１０により収納ケース２から巻出され、収納時には巻回されて収納ケース２に収納されるとともに、アンダーバー９は、両端にアンダーバー用キャップ７を有するアンダーバー用カバー６内に収納される。
【００１０】
図２は、図１のＩＩ−ＩＩ’線断面における縦断面図である。収納ケース２の両端には、ブラケット用キャップ５，５によりその表面が保護されたブラケット４，４が固定されている。スプリングロール３の一端にはスプリングロール用キャップ１２が固定され、スプリングロール用キャップ１２には、一方のブラケット４の穴に回動自在に支軸１１が嵌挿されている。スプリングロール３の他端には固定軸１５が内蔵されており、スプリングロール３は、支軸１１と固定軸１５を中心として回動する。スプリングロール３には、一端が固着されたスクリーン８が巻回されており、その内部には、固定軸１５と同軸的に回動する中間軸１３が固定軸１５に連結されている。中間軸１３には、コイルスプリング１４が固定されており、スプリングロールに巻戻し方向の付勢力を付与する。
【００１１】
クラッチ機構は、固定軸１５の外側に嵌挿されたドラム１７からなる従動部と、該ドラム１７の外側に嵌挿された枠体２０からなる原動部とで構成される。枠体２０はベアリング１６を介して回動可能である。枠体２０の外周面にはその母線方向に、スプリングロール３の内面に設けられた突部及び突条（不図示）と嵌合する突部と突条（不図示）が設けられており、スプリングロール３と嵌合する。さらに、固定軸１５とドラム１７とを、固定軸１５にきつく巻回し先端をドラム１７に係止したクラッチスプリング２１で連結する。これにより、スクリーン８を巻出すと、固定軸１５に対してドラム１７がクラッチスプリング２１の巻戻し方向に回転し、クラッチスプリング２１の固定軸１５とドラム１７に対する巻付きが弱くなり、ドラム１７の回転は許容される。その結果、スプリングロール３は同軸的にドラム１７と連動回動する。
一方、スクリーン８を巻戻すと、固定軸１５に対してドラム１７がクラッチスプリング２１の巻締め方向に回転し、クラッチスプリング２１はより強く固定軸１５とドラム１７に巻付いて、ドラム１７の回転は阻止される。
すなわち、スクリーンの巻出し時には、ドラムの回転が許容される結果、より小さな力でスクリーンを巻出すことができる。一方、スクリーンの巻戻し時には、ドラムの回転が阻止される結果、スクリーンの引上げ速度を抑制でき、スクリーンをゆっくりと巻戻すことができる。
【００１２】
また、ドラム１７には、円周面にガイド溝１９が形成されている。また、枠体２０には、その母線方向に断面半円状のスライド溝２０ａが形成されている。そして、ガイド溝１９とスライド溝２０ａとの間の空隙には摺動ボール１８が配置されており、枠体２０が回転すると、摺動ボール１８はスライド溝２０ａ内を枠体２０の母線方向に移動しながらガイド溝１９内を移動することができる。ここで、ガイド溝には、油やグリース等の潤滑剤を充填することが好ましい。潤滑剤は摺動ボールとガイド溝との間に発生する転がり摩擦を低減するので、スクリーンの巻戻し及び巻出しをより軽快に行うことができる。また、潤滑剤は摺動ボールに回転抵抗を与えるので、摺動ボールの遊動を抑制する。これにより、例えば、スクリーンが傾いた場合、摺動ボールがスクリーンの傾斜方向に移動するのを抑制できるので、枠体の回転に同期した移動のみを可能とすることができる。
【００１３】
ガイド溝について図３の展開図を用いて説明する。
ガイド溝は、ドラム１７の円周方向に連続する周回溝１７ａと、この周回溝１７ａと連続する副路を形成する係止溝１７ｂとで構成されている。２本の係止溝１７ｂ，１７ｂは、円周方向に等間隔で配置された２つの湾曲部として形成されている。さらに、湾曲部は、突部１７ｃにより分離された、周回溝１７ａからの分岐溝と周回溝１７ａへの合流溝とを有しており、合流溝には、合流方向に向かって、摺動ボールを係止する３つの凹部からなる係止部、即ち第１の係止部２２ａ、第２の係止部２３ａ、そして第３の係止部２４ａがこの順で合流溝の側壁に交互に形成されている。
【００１４】
なお、係止溝の数は特に限定されない。図３に示したように円周方向において１８０度毎に２本の係止溝を設けても良く、あるいは１２０度毎に３本、又は９０度毎に４本設けることもできる。さらに、複数の係止溝のそれぞれに、摺動ボールを配置することもできる。この場合、係止溝の数に対応して枠体の円周方向に複数のスライド溝を設け、摺動ボールをそのスライド溝内に配置して枠体の母線方向に移動可能とする。
【００１５】
以下、本実施の形態に係るスクリーン装置の動作について説明する。
スクリーン８の収納時には、摺動ボール１８は第１の係止部２２ａに係止されてスクリーン８は巻取り位置に保持されている。スクリーン８を巻取り位置から巻出すと、クラッチスプリング２１の固定軸１５とドラム１７に対する巻付きが弱くなり、ドラム１７の回転は許容され、ドラム１７は枠体２０及びスプリングロール３と一体回転するので、スクリーン８を自由に巻出すことができる。
次に、スクリーン８を所定の位置まで巻出し、手を離すと、スプリングロール３の付勢力により、スプリングロール３は巻戻し方向に回転しようとするが、慣性力により巻戻し方向と逆方向に移動した摺動ボール１８が第２の係止部２３ａに係止される。これにより、スクリーン８は停止する。
【００１６】
次に、スクリーン８を巻戻す際、一旦スクリーン８を引下げると、慣性力により巻出し方向と逆方向に摺動ボール１８が移動して第３の係止部２４ａに係止される。スクリーン８を引下げている間は、クラッチスプリング２１の固定軸１５とドラム１７に対する巻付きが弱くなり、ドラム１７の回転は許容され、ドラムは枠体２０及びスプリングロール３と一体回転する。
次いで、手を離すと、スプリングロール３の巻戻し方向の付勢力により、固定軸１５に対してドラム１７がクラッチスプリング２１の巻締め方向に回転し、クラッチスプリング２１はより強く固定軸１５とドラム１７に巻付いて、ドラム１７の回転は阻止される。一方、摺動ボール１８が慣性力により周回溝１７ａに移動し係止が解除される結果、枠体２０とスプリングロール３が一体回転してスクリーン８が巻戻される。そして、摺動ボール１８が他方の第１の係止部２２ｂに係止されてスクリーンが巻取り位置に保持される。
【００１７】
本実施の形態によれば、スクリーンを巻戻す際に、一旦スクリーンを巻出すが、その巻出し時には、摺動ボールが第３の係止部に係止されて、周回溝に移動することがないので、いわゆる引掛りがなく、手を離しても、途中で停止することがなく、速やかにスクリーンを巻戻すことができる。
【００１８】
なお、１個の摺動ボールに代えて複数の摺動ボールを用いることもできる。この場合、枠体の回動に同期して、各摺動ボールが各係止溝を移動する以外は上述と同様の動作を行う。例えば、２本の係止溝と２個の摺動ボールを用いた場合について図３を用いて説明する。スクリーン収納時には一方の摺動ボールが第１の係止部２２ａに、他方の摺動ボールが第１の係止部２２ｂに係止されている。スクリーンを所定の位置まで巻出し、手を離すと、一方の摺動ボールは第２の係止部２３ａに、他方の摺動ボールは第２の係止部２３ｂに係止され、スクリーンは停止する。次に、スクリーンを巻戻す際、一旦スクリーンを引下げると、各摺動ボールは移動し、一方の摺動ボールは第３の係止部２４ａに、そして他方の摺動ボールは第３の係止部２４ｂに係止される。次いで、手を離すと、各摺動ボールが慣性力により周回溝１７ａに移動し係止が解除される結果、枠体とスプリングロールが一体回転してスクリーンが巻戻される。そして、一方の摺動ボールが第１の係止部２２ｂに係止される一方、他方の摺動ボールが第１の係止部２２ａに係止されて、スクリーンが巻取り位置に保持される。
複数の摺動ボールを用いることにより、引掛りを防止できるのみならず、係止時には、枠体が複数の係止部により確実に係止され、また、巻戻しに際してスクリーンの巻出し量を小さくすることができるので、巻戻しをより簡単に行うことができる。
【００１９】
【発明の効果】
以上、説明したように、本発明のスクリーン装置は、クラッチ機構の従動部のガイド溝を、１本の周回溝と、その周回溝と連絡する副路を形成し、摺動ボールを係止する１本以上の係止溝とで構成し、さらに、係止溝に、スクリーンの巻出し方向への摺動ボールの移動を停止させスクリーンを巻取り位置に保持する第１の係止部と、スクリーンの巻戻し方向への摺動ボールの移動を停止させスクリーンを展張状態に保持する第２の係止部と、スクリーンの巻戻し時に第２の係止部から移動した摺動ボールの巻出し方向への移動を停止させ摺動ボールの周回溝への復帰を防止する第３の係止部とを設けるようにしたので、巻戻し時に引掛りがなく、また、軽快に操作することの可能な吊下げ式のスクリーン装置を提供することができる。
【図面の簡単な説明】
【図１】本発明の実施の形態に係るスクリーン装置の構造の一例を示す斜視図である。
【図２】図１のＩＩ−ＩＩ′線断面における模式縦断面図である。
【図３】図１は、本発明の実施の形態に係るスクリーン装置に用いるカム溝の構造の一例を示す展開図である。
【符号の説明】
１  スクリーン装置、２  取付板、３  スプリングロール、４  ブラケット、５  ブラケット用キャップ、６  アンダーバー用カバー、７  アンダーバー用キャップ、８  スクリーン、９  アンダーバー、１０  把手、１１  支軸、１２  スプリングロール用キャップ、１３  中間軸、１４  コイルスプリング、１５  固定軸、１６  ベアリング、１７  ドラム、１７ａ  周回溝、１７ｂ  係止溝、１７ｃ  突部、１８  摺動ボール、１９  ガイド溝、２０  枠体、２０ａ  スライド溝、２１  クラッチスプリング、２２ａ，２２ｂ  第１の係止部、２３ａ，２３ｂ  第２の係止部、２４ａ，２４ｂ  第３の係止部。
【図１】
2004347766.tif 000003
【図２】
2004347766.tif 000004
【図３】
2004347766.tif 000005